【手続補正書】
【提出日】平成28年1月27日(2016.1.27)
【手続補正１】
【補正対象書類名】特許請求の範囲
【補正対象項目名】全文
【補正方法】変更
【補正の内容】
【特許請求の範囲】
【請求項１】
移動通信デバイス用の、ウェブベースの、ピア・ツー・ピアのメッセージングシステムであって、該システムは：
ａ）少なくとも１つのコンピューティングデバイスであって、ウェブサイトを維持し、且つ、該ウェブサイトを介して：
ａ１）複数のメッセージであって、該複数のメッセージの各メッセージは商品又はサービスに関連するデータを含む、複数のメッセージ；及び
ａ２）複数のウェブサイト・ユーザーにより作成される複数のターゲティングレコードを受信するように構成されるウェブベースのユーザーインターフェースであって、複数のターゲティングレコードからの各ターゲティングレコードは、１）前記各ターゲティングレコードを作成する特定のウェブサイト・ユーザーに一意的に関連する移動通信デバイスを識別するソース通信識別子、２）意図したメッセージの受取人に一意的に関連する移動通信デバイスを識別する送信先通信識別子、及び３）前記複数のメッセージの１つのメッセージに一意的に関連するメッセージデータ、を含む、ウェブベースのユーザーインターフェース
へのインターネット・アクセスを提供するように構成される、少なくとも１つのコンピューティングデバイス；
ｂ）データベースであって：
ｂ１）ウェブベースのユーザーインターフェースを介して複数のウェブサイト・ユーザーにより作成された複数のターゲティングレコードからの前記各ターゲティングレコードの、保管、識別、及び検索；及び
ｂ２）通信伝達処理ネットワーク要素から、以下のロジック条件：ロジック条件のセットを満たす少なくとも１つのターゲティングレコードにおける送信先通信識別子が通信伝達の受信者により使用される移動通信デバイスを識別するという条件を含むロジック条件のセットを満たす少なくとも１つの保管したターゲティングレコードからのメッセージデータに関する要求の受信後の、前記ロジック条件のセットを満たす少なくとも１つの保管したターゲティングレコードの識別、及び、少なくとも１つの識別されたターゲティングレコードに含まれる少なくともメッセージデータの、通信伝達処理ネットワーク要素への送信
を行うように構成される、データベース；
ｃ）通信伝達処理ネットワーク要素であって、該通信伝達処理ネットワーク要素は、少なくとも：
ｃ１）傍受された通信伝達の受信者により使用される移動通信デバイスを識別する通信識別子を含む通信伝達を傍受した後、データベースから、前記ロジック条件のセットを満たす少なくとも１つの保管されたターゲティングレコードからのメッセージデータを要求すること；及び
ｃ２）前記ロジック条件のセットを満たす少なくとも１つの保管されたターゲティングレコードに含まれるメッセージデータをデータベースから受信した後、少なくとも、１）データベースから受信したメッセージデータを含む別個のデータメッセージの生成、及び２）傍受された通信伝達の受信者により使用される移動通信デバイスへの別個のデータメッセージの送信を実行すること
を行うように構成される、通信伝達ネットワーク要素
を含む、ウェブベースの、ピア・ツー・ピアのメッセージングシステム。
【請求項２】
ウェブベースのユーザーインターフェースは更に、前記複数のウェブサイト・ユーザーからの各ウェブサイト・ユーザーが：
ａ）ウェブベースのユーザーインターフェースを介して、現在データベースに保管され且つ前記各ウェブサイト・ユーザーにより作成されたターゲティングレコードを表示すること；及び
ｂ）現在データベースに保管され且つ前記各ウェブサイト・ユーザーにより作成された任意の数のターゲティングレコードをデータベースから除去すること
を可能にするように構成される、ことを特徴とする請求項１に記載のシステム。
【請求項３】
傍受された通信伝達は、傍受された通信伝達の送信者により作られる加入者データコンテンツを更に含む、ことを特徴とする請求項１に記載のシステム。
【請求項４】
別個のデータメッセージは加入者データコンテンツを更に含む、ことを特徴とする請求項３に記載のシステム。
【請求項５】
傍受された通信伝達は更に、傍受された通信伝達の送信者により使用される移動通信デバイスを識別する通信識別子を備え、ロジック条件のセットは更に、以下のロジック条件：前記ロジック条件のセットを満たす少なくとも１つのターゲティングレコードにおけるソース通信識別子が、傍受された通信伝達の送信者により使用される移動通信デバイスを識別するという条件を含む、ことを特徴とする請求項３に記載のシステム。
【請求項６】
ａ）傍受された通信伝達はウェブサイトを維持する少なくとも１つのコンピューティングデバイスにより送信されるウェブページであり、ｂ）ウェブサイトを維持する少なくとも１つのコンピューティングデバイスは更に、ウェブページを介して広告ディスプレイへのインターネット・アクセスを提供するように構成され、及びｃ）通信伝達処理ネットワーク要素は更に、広告ディスプレイを介して、傍受された通信伝達の受信者により使用される移動通信デバイスに別個のデータメッセージを送達するように構成される、ことを特徴とする請求項１に記載のシステム。
【請求項７】
前記複数のメッセージからの各メッセージは更に、ａ）前記各メッセージの受取人に商品又はサービスの購入を奨励するように設計されるプロモーションオファー、及びｂ）ウェブサイト・ユーザーが、自分の友人に前記各メッセージにおいて特集される商品又はサービスを勧めることを奨励するように設計される紹介報酬に関連するデータを含む、ことを特徴とする請求項１に記載のシステム。
【請求項８】
複数のターゲティングレコードを保管、識別、及び検索するように構成されるデータベースにより行われる方法であって、ここで、複数のターゲティングレコードからの各ターゲティングレコードは、１）ソース移動加入者に一意的に関連する移動通信デバイスを識別するソース通信識別子、２）送信先移動加入者に一意的に関連する移動通信デバイスを識別する送信先通信識別子、及び３）ウェブサイト上でアクセス可能な複数のメッセージから選択可能なメッセージに一意的に関連するメッセージデータを含み、前記方法は：
データベースと通信伝達処理ネットワーク要素との間の双方向の通信を確立する工程であって、少なくとも：
傍受された通信伝達の受信者により使用される移動通信デバイスを識別する通信識別子を含む通信伝達を傍受した後、データベースから、以下のロジック条件：前記ロジック条件のセットを満たす少なくとも１つのターゲティングレコードにおける送信先通信識別子が、傍受された通信伝達の受信者により使用される移動通信デバイスを識別するという条件を含むロジック条件のセットを満たす、少なくとも１つの保管したターゲティングレコードからのデータを要求すること；及び
前記ロジック条件のセットを満たす少なくとも１つのターゲティングレコードに含まれるメッセージデータをデータベースから受信した後、少なくとも：１）データベースから受信したメッセージデータを含む別個のデータメッセージの作成、及び２）傍受された通信伝達の受信者により使用される移動通信デバイスへの別個のデータメッセージの送達を実行すること
を行う、工程；及び
前記ロジック条件のセットを満たす少なくとも１つの保管したターゲティングレコードからのメッセージデータに関する要求を通信伝達処理ネットワーク要素から受信した後、前記ロジック条件のセットを満たす少なくとも１つの保管したターゲティングレコードを識別し、通信伝達処理ネットワーク要素に、少なくとも１つの識別したターゲティングレコードに含まれる少なくともメッセージデータを送信する工程
を含む方法。
【請求項９】
データベースと、ウェブサイトを維持する少なくとも１つのコンピューティングデバイスとの間の双方向通信を確立する工程、及び、ウェブサイトを介して： 
ａ）複数のメッセージであって、該複数のメッセージの各メッセージは商品又はサービスに関連するデータを含む、複数のメッセージ；及び
ｂ）複数のウェブサイト・ユーザーから、データベースに保管される複数のターゲティングレコードからの各ターゲティングレコードを受信するように構成されるウェブベースのユーザーインターフェースであって、ウェブベースのユーザーインターフェースにより受信される前記各ターゲティングレコードは、１）前記各ターゲティングレコードを作成する特定のウェブサイト・ユーザーに一意的に関連する移動通信デバイスを識別するソース通信識別子、２）意図したメッセージの受取人に一意的に関連する移動通信デバイスを識別する送信先通信識別子、及び３）ウェブサイトを介してアクセス可能な前記複数のメッセージからの１つのメッセージに一意的に関連するメッセージデータを含む、ウェブベースのユーザーインターフェース
へのインターネット・アクセスを提供する工程を更に含む、請求項８に記載の方法。
【請求項１０】
ウェブベースのユーザーインターフェースは更に、前記複数のウェブサイト・ユーザーからの各ウェブサイト・ユーザーが：
ａ）ウェブベースのユーザーインターフェースを介して、現在データベースに保管され且つ前記各ウェブサイト・ユーザーにより作成されたターゲティングレコードを表示すること；及び
ｂ）現在データベースに保管され且つ前記各ウェブサイト・ユーザーにより作成された任意の数のターゲティングレコードをデータベースから除去すること
を可能にするように構成される、ことを特徴とする請求項９に記載の方法。
【請求項１１】
傍受された通信伝達は、傍受された通信伝達の送信者により作られる加入者データコンテンツを含む、ことを特徴とする請求項８に記載の方法。
【請求項１２】
別個のデータメッセージは加入者データコンテンツを更に含む、ことを特徴とする請求項１１に記載の方法。
【請求項１３】
傍受された通信伝達は更に、傍受された通信伝達の送信者により使用される移動通信デバイスを識別する通信識別子を備え、ロジック条件のセットは更に、以下のロジック条件：前記ロジック条件のセットを満たす少なくとも１つのターゲティングレコードにおけるソース通信識別子が、傍受された通信伝達の送信者により使用される移動通信デバイスを識別するという条件を含む、ことを特徴とする請求項１１に記載の方法。
【請求項１４】
ａ）傍受された通信伝達はウェブサイトを維持する少なくとも１つのコンピューティングデバイスにより送信されるウェブページであり、ｂ）ウェブサイトを維持する少なくとも１つのコンピューティングデバイスは更に、ウェブページを介して広告ディスプレイへのインターネット・アクセスを提供するように構成され、及びｃ）送達する工程は更に、広告ディスプレイを介して別個のデータメッセージを表示する工程を含む、ことを特徴とする請求項９に記載の方法。
【請求項１５】
前記複数のメッセージからの各メッセージは更に、ａ）前記各メッセージの受取人に商品又はサービスの購入を奨励するように設計されるプロモーションオファー、及びｂ）ウェブサイト・ユーザーが、自分の友人に前記各メッセージにおいて特集される商品又はサービスを勧めることを奨励するように設計される紹介報酬に関連するデータを含む、ことを特徴とする請求項９に記載の方法。